(57)【要約】【課題】突き出し面が傾斜面となっている筆記具の軸筒10をプラスチックの射出成形により形成するに際して、突き出しの際の成形品の変形や金型の偏摩耗等の不具合を解消する。【解決手段】プラスチックの射出成形により形成される筆記具の軸筒10であって、その少なくとも一端が、軸方向に対する傾斜面21で構成され、前記一端に向かってその内径及び外径が拡大していく部分を有しているとともに、前記傾斜面21の表面の算術平均粗さ(Ra)が１０μｍ以上かつ７０μｍ以下であることを特徴とする。【選択図】図３
2008238623.tif 000002
【特許請求の範囲】
【請求項１】
プラスチックの射出成形により形成される筆記具の軸筒であって、
その一端が、軸方向に対する傾斜面で構成され、
前記一端に向かってその内径及び外径が拡大していく部分を有しているとともに、
前記傾斜面の表面の算術平均粗さ(Ra)が１０μｍ以上かつ７０μｍ以下であることを特徴とする筆記具の軸筒。
【請求項２】
前記一端に向かってその内径及び外径が拡大していく部分においては、同内径及び外径は単調増加に拡大していることを特徴とする請求項１記載の筆記具の軸筒。
【発明の詳細な説明】
【技術分野】
【０００１】
本発明は、プラスチックの射出成形により形成される筆記具の軸筒に関する。
【背景技術】
【０００２】
ボールペン、シャープペンシル等、筆記具の軸筒は金属、木材等様々な素材で形成されてきたが、今日ではプラスチックの射出成形によるものが大部分である。
プラスチックの射出成形についての従来技術としては、本件特許出願人による下記特許文献１乃至３が挙げられる。
【特許文献１】特開２００５−８１５９３号公報
【特許文献２】特開２００５−２１２３９４号公報
【特許文献３】特開２００５−２１２３９５号公報
【発明の開示】
【発明が解決しようとする課題】
【０００３】
筆記具の軸筒の形状は、そのデザインにより様々に形成される。たとえば、軸筒の後端とテールピースとの接合部が軸方向に対して傾斜しているデザインを採用した場合、軸筒の後端面が傾斜しているような金型が設計されることになる。このようなデザインにおいてさらに、その後端面に向かって内径及び外径が徐々に大きくなっていくような形状とした場合には、成形品の抜き方向は、その内径及び外径が小さくなっていく方向、すなわち先端方向とせざるを得ない。この場合、成形品の突き出し部はその後端面に設けざるを得ない。しかし、その後端面が傾斜していると突き出し部が突き出し方向に対し垂直になっていないことになる。よって、そのまま軸方向に突き出すと離型抵抗力が働き成形品がその傾斜方向に滑り、成形品に偏った負荷を与えることになり、それによる変形が避けられなかった。また、金型にも偏った負担がかかるので、突き出し摺動部分の偏摩耗などといった不具合が生ずることともなっていた。
【０００４】
このような不具合を解消するためには、傾斜面の一部に、突き出し方向に対する荷重を受け止めるに足る十分な面積の垂直面を設けることとしていた。そうすれば、その垂直面に対する軸方向の突き出しが可能にはなるが、軸筒の後端面を傾斜面で形成したいというデザイン的要請を犠牲にせざるを得なかった。
なお、このような問題点は、傾斜面を軸筒の後端に設ける場合のみならず、デザインとして軸筒の先端に傾斜面を設けるような場合にも当てはまるものである。
上記の各問題点に鑑み、本発明は、一端が、軸方向に対する傾斜面で構成され、前記一端に向かってその内径及び外径が拡大していく部分を有している筆記具の軸筒をプラスチックの射出成形により形成するに際して、突き出しの際の成形品の変形や金型の偏摩耗等の不具合を解消することを課題とする。
【課題を解決するための手段】
【０００５】
上記の課題に鑑み、本発明は、プラスチックの射出成形により形成される筆記具の軸筒10であって、
その少なくとも一端が、軸方向に対する傾斜面21で構成され、
前記一端に向かってその内径及び外径が拡大していく部分を有しているとともに、
前記傾斜面21の表面の算術平均粗さ(Ra)が１０μｍ以上かつ７０μｍ以下であることを特徴とする。
本発明に係る筆記具の軸筒10は、その一端が、軸方向に対する傾斜面21で構成されていることになっている。ここで、「その一端」とは、後端である場合もあるし、また、先端である場合もある。また、「傾斜面21」で構成されているというのは、その一端に、軸方向に対して、突き出し荷重を受け止めるに足る十分な面積の垂直面が存在しないことを意味している。なお、このような大きさに満たない僅かな面積の垂直面を設けることは差し支えない。また、その一端に向かって内径及び外径が拡大していく部分を有している。これは、その一端に向かって徐々に内径及び外径が拡大していく部分を有することを意味しており、内径あるいは外径を減ずることがなければ、たとえばその間に内径あるいは外径が一定になる部分があってもよい。
【０００６】
そして、本発明においては、その傾斜面21の表面の算術平均粗さ(Ra)が１０μｍ以上かつ７０μｍ以下となっている。このような表面粗さを実現する方法としては、射出成形に使用する金型においてこの傾斜面21を形成する面に、算術平均粗さ(Ra)が１０μｍ以上かつ７０μｍ以下となるような凹凸を形成することが挙げられる。このような凹凸の形成方法としては、当該金型面に対してエッチング加工、放電加工、又はブラスト加工等、一般的な方法を採用することができる。
当該金型面にそのような凹凸を形成することで、金型面と傾斜面21との間に適度な摩擦力が生ずることとなる。このことにより、突き出しの際に成形品が傾斜方向に滑ることがなく、離型抵抗力が分散されるため、偏った負荷を成形品にかけることなく金型から抜くことが可能となっている。ここで、上記算術平均粗さ(Ra)の数値が１０μｍを下回る場合には、表面粗さが足りず、十分な摩擦力が得られないので、突き出しの際に成形品が傾斜方向に滑ってしまうこととなる。一方、上記数値が７０μｍを上回る際には、成形品における当該傾斜面21の表面粗さが大きくなり過ぎ、その傾斜面21への、例えばテールピースのような他部材の接合がしにくくなりかえって不具合が生ずることとなる。
【０００７】
本件発明は特に、前記一端に向かってその内径及び外径が拡大していく部分においては、同内径及び外径は単調増加に拡大しているような形状を有する、筆記具の軸筒10において適している。ここで「単調増加に拡大」というのは、前記一端に向かってその内径及び外径が拡大していく部分において、突起や段差のような構造が存在しないことを意味している。このような構造が存在しないことで、軸方向に垂直な突き出し面を形成できない場合であっても、本件発明によれば、突き出しの際に成形品が傾斜方向に滑ることがなく、離型抵抗力が分散されるため、偏った負荷を成形品にかけることなく金型から抜くことが可能となる。なお、ここでいう突起や段差とは、突き出し工程の際に軸方向への力を受け止めるに十分な程度の大きさのものを指し、それに耐えない程度の、たとえば単なる模様程度の軽微なものはこのうちに含まないこととする。
【発明の効果】
【０００８】
本発明によると、一端が、軸方向に対する傾斜面で構成され、前記一端に向かってその内径及び外径が拡大していく部分を有している筆記具の軸筒をプラスチックの射出成形により形成するに際して、突き出しの際の成形品の変形や金型の偏摩耗等の不具合を解消することが可能となる。
【発明を実施するための最良の形態】
【０００９】
以下、本発明の実施の形態を、図面を参照しつつ説明する。
本実施の形態に係る筆記具の軸筒10の外観は、図１の正面図、図２の側面図及び図３の斜視図で示すとおりである。
軸筒10は、略円筒形でポリカーボネート製の軸筒本体20と、その前半部分の外周を覆う熱可塑性エラストマー製のグリップ部30とで二色射出成形されている。
軸筒10の先端部分は外径が小さく外側面に雄ねじが設けられたジョイント部22として形成され、ここに図示しない口金が装着される。
軸筒10の後端部分は軸方向に対して傾斜した傾斜面21として形成されている。この傾斜面21には、軸方向に対して垂直な部分は一切設けられていない。また、この傾斜面21には、算術平均粗さ(Ra)にして１０μｍ以上かつ７０μｍ以下となるような凹凸が形成されている。
【００１０】
また、図１及び図２に示すとおり、軸筒10の中間部分から後端方向にかけて、その直径が徐々に大きくなっている。また、この範囲内では、突き出し工程の際に軸方向への力を受け止めるに十分な程度の大きさの外側面及び内側面に突起や段差は設けられていない。
軸筒10内には、図示しないインクリフィルや、ノック機構が収納されることとなっている。また、傾斜面21には、図示しないテールピースが装着される。このテールピースには図示しないクリップが装着されているとともに、その後端からノック機構の一部である図示しないノックボタンが突出することとなっている。
本実施の形態に係る軸筒10を形成する金型において、傾斜面21を形成する部分には、算術平均粗さ(Ra)にして１０μｍ以上かつ７０μｍ以下となるような凹凸が、エッチング加工、放電加工、又はブラスト加工等により形成されている。これにより、傾斜面21にも同様の表面粗さの凹凸が形成されることとなっている。この凹凸による摩擦力により、成形品としての軸筒10が金型から抜去される際に、この傾斜面21が、軸方向に対する垂直面がなくても突き出し面として機能し得ることとなっている。
【産業上の利用可能性】
【００１１】
本発明は、ボールペン、シャープペンシル、万年筆等の筆記具の軸筒として利用可能である。
【図面の簡単な説明】
【００１２】
【図１】本発明の実施の形態に係る筆記具の軸筒の外観を正面図で示したものである。
【図２】本発明の実施の形態に係る筆記具の軸筒の外観を側面図で示したものである。
【図３】本発明の実施の形態に係る筆記具の軸筒の外観を斜視図で示したものである。
【符号の説明】
【００１３】
10  軸筒
20  軸筒本体              21  傾斜面                22  ジョイント部
30  グリップ部
【図１】
2008238623.tif 000003
【図２】
2008238623.tif 000004
【図３】
2008238623.tif 000005